(57)【特許請求の範囲】
【請求項１】
ケーブルを挿通可能な、中空のコネクタ本体と、コネクタ本体と螺合する締付ナットと、コネクタ本体の端面と締付ナットの内壁端面との間に介在する筒状のパッキンと、締付ナットの内壁端面とパッキンとの間に装着されるカラーとを有するケーブルコネクタにおいて、前記コネクタ本体は、前記締付ナットと螺合するねじ部が外壁面に形成された筒部を有し、該筒部の前記外壁面に前記カラーの足部を差し込むための縦溝を端縁から軸方向に形成してなり、前記カラーは、前記パッキンの端面に当接する接触面が形成された環状の底壁を有し、前記足部は、該底壁の縁部から軸方向に突出すると共に、前記パッキンの端面に前記接触面が当接した状態において、前記パッキンの外側に位置するように、形成されており、前記底壁の前記接触面とは反対側の面に、前記締付ナットの緩み方向に対して抵抗する方向に傾斜した山を有するラチェットを形成し且つ締付ナットの内壁端面に前記ラチェットと共働する係合部を形成してなり、前記カラーを前記コネクタ本体に係止することにより、前記カラーと前記コネクタ本体の間に配置されるパッキンのねじれを防止するとともに締付ナットの緩みを防止することを特徴とするケーブルコネクタ。
【発明の詳細な説明】
【０００１】
【発明の属する技術分野】
本発明は、ケーブルを内部に挿通して所望の構造体に引き入れ連結するためのケーブルコネクタに関し、特には、コネクタ内に配置したパッキンのねじれに起因する締付ナットの緩みを防止したケーブルコネクタに関する。
【０００２】
【従来の技術】
ケーブルを配電盤等の構造体に連結するための連結具の一つとして筒状のケーブルコネクタが知られる。
図４は従来のケーブルコネクタの一例を示し、図５は該コネクタを用いてのケーブルの接続状態を示す。ケーブルコネクタは、ケーブルを挿通可能な中空筒状のコネクタ本体１０１と、コネクタ本体１０１の外壁と螺合する略袋状の締付ナット１０２と、コネクタ本体１０１の端部と締付ナット１０２の内壁との間に介在してコネクタ本体内と外部とをシールするパッキン１０３と、締付ナット１０２の内壁とパッキン１０３との間に装着されるカラー１０４とを有し、コネクタ本体１０１を所望の構造体に取り付けた後、このコネクタ本体に予め締付ナット１０２、カラー１０４、パッキン１０３を挿通したケーブルの一端を挿入し、次いで締付ナットをコネクタ本体に螺合して締め付けることにより、コネクタ本体１０１の一端面とこれと対峙する締付ナット１０２の内壁面との間でカラー１０４を介在の下でパッキン１０３を圧縮し、パッキン１０３がケーブル方向に膨出するように変形してケーブルの外周面を押圧することによりケーブルを固定すると共にコネクタの外部と内部との水密性を保って接続する。
【０００３】
しかし、かかる構成において、締付ナット１０２を強く締め付けすぎると締付ナットの螺合に伴いパッキン１０３がカラー１０４と共に回るように作用され、これによりパッキン１０３がねじれて応力を受けた状態のままセットされ、この状態で放置するとパッキン１０３が自身の弾性によりねじれ状態から元の状態に復帰しようとするため、その復帰動作に従い締付ナット１０２のコネクタ本体１０１からの締付けが徐々に緩んでケーブルの保持が充分でなくなるという問題を有している。
【０００４】
【発明が解決しようとする課題】
本発明は上記点に鑑みてなされたもので、締付ナットの締め付け時における上記したパッキンのねじれの発生を防止し、これに起因する締付ナットの緩みを防止し得るケーブルコネクタを簡単且つ便利な形で提供することを課題とする。
【０００５】
【課題を解決するための手段】
かかる課題を解決するために、本発明は、ケーブルを挿通可能な、中空のコネクタ本体と、コネクタ本体と螺合する締付ナットと、コネクタ本体の端面と締付ナットの内壁端面との間に介在する筒状のパッキンと、締付ナットの内壁端面とパッキンとの間に装着されるカラーとを有するケーブルコネクタにおいて、前記コネクタ本体は、前記締付ナットと螺合するねじ部が外壁面に形成された筒部を有し、該筒部の前記外壁面に前記カラーの足部を差し込むための縦溝を端縁から軸方向に形成してなり、前記カラーは、前記パッキンの端面に当接する接触面が形成された環状の底壁を有し、前記足部は、該底壁の縁部から軸方向に突出すると共に、前記パッキンの端面に前記接触面が当接した状態において、前記パッキンの外側に位置するように、形成されており、前記底壁の前記接触面とは反対側の面に、前記締付ナットの緩み方向に対して抵抗する方向に傾斜した山を有するラチェットを形成し且つ締付ナットの内壁端面に前記ラチェットと共働する係合部を形成してなり、前記カラーを前記コネクタ本体に係止することにより、前記カラーと前記コネクタ本体の間に配置されるパッキンのねじれを防止するとともに締付ナットの緩みを防止することを特徴とする。
【０００８】
【発明の実施の形態】
以下に、本発明の好適な実施の形態を添付図面を参照として説明する。
図１乃至図３に示すように、本発明によるケーブルコネクタ１は、基本的に、コネクタ本体１０と、コネクタ本体１０に螺合される締付ナット２０と、コネクタ本体１０の端部と締付ナット２０との間に介在されるグランドパッキン３０と、パッキン３０と締付ナット２０との間に介在されるカラー４０とを有する。なお、図１はコネクタ本体１０、パッキン３０およびカラー４０の一例を、図２は同カラー４０と締付ナット２０の一例をそれぞれ示し、これらを組み合わせた状態を図３に示している。また図３に示すように、かかるコネクタに接続されるケーブル２はその外面に、例えば合成樹脂またはゴム材料からなる被覆を有している。
【０００９】
コネクタ本体１０は例えば導電性材料により形成され、図１に示すように、角ナット状の締付フランジ部１１を中央に軸線方向に相反する方向に延びた第１及び第２の筒部１２，１３を有する中空体からなり、その中空内部に軸線方向端部側からケーブル２が挿入可能とされている。なお、第１および第２の筒部１２，１３の外壁面にはそれぞれ雄ねじ１２ａ，１３ａが形成されている。
【００１０】
第１の筒部１２の端面１２ｃの周縁は、図３に示すように軸線方向に僅かに突出した環状凸部１２ｄを有しており、端面１２ｃと環状凸部１２ｄとにより、後述するパッキンの端面を押さえ込むようにして圧接させる。
【００１１】
コネクタ本体１０の第２の筒部１３は、配電盤等の固定構造体（図示なし）の壁に形成された取付穴に他方の側に突出するようにして装着され、他方の側において適当な締付ナットが第２の筒部１３の雄ねじ１３ａに螺合してそれを固定する。かかる取付けにおいて、コネクタ本体１０と構造体の壁との間の隙間をシールパッキンが配置され、その間をシールする。また必要に応じて、第２の筒部１３の内周部に筒部の端部側から筒状の絶縁性カラーを装着して、筒部の端縁をカラーで覆い、コネクタ内に導かれて来たケーブルをコネクタ本体１０から構造体内に引き出す際の、万一の電気的接触を防止するためのインシュレータの役割をなすようにしても良い。
【００１２】
第１の筒部１２の外周面の雄ねじ１２ａと螺合可能に締付ナット２０が設けられる。締付ナット２０は、ケーブル２の外径よりも僅かに大きい径の中央孔２１を有する半径方向内方に向かった環状フランジ部２２と、ケーブル２よりも比較的大きな内径を有する筒部２３とよりなる略袋状体であり、筒部２３には、その内周面に雌ねじ２３ａが設けられ、外周面には角ナット状の締付部２３ｂが形成されている。
【００１３】
コネクタ本体１０の第１の筒部１２の端面１２ｃと締付ナット２０の環状フランジ部２２の内壁面２２ａとの間に筒状のパッキン３０および環状のカラー４０が介在される。パッキン３０は、締付ナット２０をコネクタ本体１０に螺合し締め付けたときに、それに圧せられて強制的に変形し得る程度の適度の弾性を有するゴムまたは合成樹脂により作られ、図１に示すように、中央部３０ａが窪んだ断面が鼓形状よりなる。
【００１４】
パッキン３０は、限定されるものではないが、ケーブル２の外径とほぼ等しいまたは僅かに大きい内径を有し、且つその両端近くの内面はその端部から中央側に向かって所定長さだけ漸次に縮径され、これによりパッキンの両端側に圧力が加わったときには、パッキン３０は図３に示すように中央部３０ａを中心に外側に反り返るように変形する。この変形によりパッキン３０の内周面の腹がケーブル２の外周面に圧接し、ケーブル２を固定する。
【００１５】
パッキン３０と並列して配置されるカラー４０は、図１に特に示すように、パッキン３０の一端面と接触してそれを受けるドーナツ円盤状の接触面を形成する底壁４０ａと、底壁４０ａの縁部から軸線方向に突出した足部４０ｂを有する。側壁４０ａの中央孔４０ｃはケーブル２を挿通するために、締付ナット２０の中央孔２１とほぼ同じ径となっている。図示例では１８０度で対面する薄厚の平行する２本の足部を示すが、それ以上の数の足部を設けても良く、また、足部と足部との角度間隔は等間隔であることにこだわらない。また、カラー４０の底壁４０ａの裏面には、締付ナット２０の緩み方向に対して抵抗する方向に傾斜した複数の山を環状に配列して有するラチェット４０ｃが形成されている。
【００１６】
上記カラー４０の足部４０ｂを受け入れるように、コネクタ本体１０の第１の筒部１２の外壁面に端縁から軸方向中央に向かって縦溝１２ｅを形成している。溝の幅および長さは足部４０ｂの形状に合わせて設計される。コネクタのセット時にこの縦溝１２ｅへ足部４０ｂが差込まれることにより、カラー４０がコネクタ本体１０に係止され、かかる係止によりカラーの回り止めが行われる。なお、カラー４０の足部４０ｂはそれを前記縦溝１２ｅに差し込んだときに、第１の筒部１２の外径よりも突出しない厚さとされている。
【００１７】
一方、締付ナット２０の内壁端面２２ａにカラー４０のラチェット４０ｃと協働する係合部２２ｃが形成されている。係合部２２ｃとしては、締付ナット２０の締め付け時にはラチェット４０ｃの障害を乗り越え締め付けを可能とし、締付ナット２０の緩み方向ではラチェット４０ｃの山と衝突して乗り越えが容易ではないような高さの突起または突条であって良く、またカラー４０と同様なラチェット構造であっても良い。
【００１８】
次に、コネクタ１へのケーブル２の取付方法について述べる。
予め、コネクタ本体１０の第１の筒部１２にパッキン３０、カラー４０を内方の後、締付ナット２０を緩く螺合させてセットし、コネクタ本体１０の第２の筒部１３を所望の構造体に固定する。このセット時においてカラー４０の足部４０ｂはコネクタ本体１０の縦溝１２ｅに差し込まれている。
【００１９】
次いで、締付ナット２０側から接続しようとするケーブル２をコネクタ内に挿通させた後、締付ナット２０を締め付ける。この締め付けによりパッキン３０が図３に示すように変形してコネクタ本体１０内と外部との隙間をシールすると同時にケーブル２を圧して固定させる。この締め付けにおいてカラー４０はコネクタ本体に係止されている。
【００２０】
なお、上記した例では、ラチェットをカラーに、係止部を締付ナットに形成した例を述べたが、、ラチェットを締付ナットに、係止部をカラーに形成した構成であっても良い、更に本明細書においては、本発明をケーブル、ケーブルコネクタの用語にて説明したが、かかる用語に特定されることなく、本発明は、電線用コネクタ、または電線管用コネクタについても同様に適用し得る。
【００２１】
【発明の効果】
以上のように、本発明によれば、コネクタのセット時にカラーをコネクタ本体に係止させる構造としたことにより、カラーは締付ナットの締め付け時においても締付ナットに伴い回転せず、パッキンに不要なねじりを発生させない。
【００２２】
また更に、カラーと締付ナットはラチェット構造により締込み回転方向には容易に回転することが出来るが緩み方向の回転はこのラチェット構造により抑えられるので、締付後に放置した状態でも締付ナットは緩むことはない。
【図面の簡単な説明】
【図１】  本発明によるケーブルコネクタのコネクタ本体とカラーおよびパッキンの形状の一例およびその配置関係を示す斜視図。
【図２】  図１に示すカラーおよび締付ナットのラチェット面を示す平面図。
【図３】  本発明によるケーブルコネクタにケーブルを連結した状態を示す縦断面図。
【図４】  従来のケーブルコネクタの部品構成を示す図。
【図５】  図４に示すケーブルコネクタにケーブルを連結した状態を示す縦断面図。
【符号の説明】
１  ケーブルコネクタ
２  ケーブル
１０  コネクタ本体
１２  第１の筒部
１２ｅ  縦溝
１３  第２の筒部
２０  締付ナット
２２ａ  内端面
２２ｃ  係合部
３０  グランドパッキン
４０  カラー
４０ａ  底壁
４０ｂ  足部
４０ｃ  ラチェット
【図１】
0004023650.tif 000002
【図２】
0004023650.tif 000003
【図３】
0004023650.tif 000004
【図４】
0004023650.tif 000005
【図５】
0004023650.tif 000006